(57)【要約】      （修正有）【課題】多くのバリエーションで組み立てが可能で、使用者がより楽しめるレール玩具セットを提供する。【解決手段】レール玩具セットは、レール面１０１を備えたレールアセンブリ１０と、１つの側面がレール面を向く貼付壁を備えた筐体アセンブリ２０と、レールアセンブリに沿ってレール面を移動する乗物アセンブリ３０と、乗物アセンブリに選択的に搭載されるか、または筐体アセンブリの貼付壁に貼付される貨物アセンブリ４０と、を備える。【選択図】図１
0003227643.tif 000002
【実用新案登録請求の範囲】
【請求項１】
レール面を備えたレールアセンブリと、
１つの側面が前記レール面を向く貼付壁を備えた筐体アセンブリと、
前記レールアセンブリに沿って前記レール面を移動する乗物アセンブリと、
前記乗物アセンブリに選択的に搭載されるか、または前記筐体アセンブリの貼付壁に貼付される貨物アセンブリと、を備えることを特徴とする、レール玩具セット。
【請求項２】
前記レールアセンブリは、前記レール面に凹設されたレール溝をさらに備え、
前記乗物アセンブリには、前記レール溝内に収容するとともに、該レール溝に沿って移動させるための凸部が形成されていることを特徴とする、請求項１に記載のレール玩具セット。
【請求項３】
前記レールアセンブリは、複数のレールユニットを有し、該各レールユニットは、少なくとも１つの接合面と、少なくとも１つの溝状部を有し、
前記少なくとも１つの溝状部は、前記接合面に凹設されるとともに、該少なくとも１つの溝状部の一端が、該接合面の縁部まで延びて開放端をなし、
前記複数のレールユニットの少なくとも１つの接合面のうちの１つが互いに接続されて、共に前記レール面を形成し、該複数のレールユニットの少なくとも１つの溝状部のうちの１つが互いに連通して、共に前記レール溝を形成することを特徴とする、請求項２に記載のレール玩具セット。
【請求項４】
前記乗物アセンブリは、
本体部材と、
前記本体部材に回転可能に設置された複数のホイール部材と、
前記本体部材の上面に固設されるとともに、前記貨物アセンブリを搭載するための搭載プレートと、を有することを特徴とする、請求項１に記載のレール玩具セット。
【請求項５】
前記乗物アセンブリは、
前記凸部が底面に形成された本体部材と、
前記本体部材に回転可能に設置された複数のホイール部材と、
前記本体部材の上面に固設されるとともに、前記貨物アセンブリを搭載するための搭載プレートと、を有することを特徴とする、請求項２または３に記載のレール玩具セット。
【請求項６】
前記筐体アセンブリは、前記貼付壁の中央に固設された磁性部材を有し、
前記貨物アセンブリは、磁性材料を備えていることで、前記筐体アセンブリの磁性部材に吸着することを特徴とする、請求項１から４のいずれか１項に記載のレール玩具セット。
【請求項７】
前記筐体アセンブリは、前記貼付壁の中央に固設された磁性部材を有し、
前記貨物アセンブリは、磁性材料を備えていることで、前記筐体アセンブリの磁性部材に吸着することを特徴とする、請求項５に記載のレール玩具セット。
【考案の詳細な説明】
【技術分野】
【０００１】
本考案は、玩具に関するものである。
【背景技術】
【０００２】
レール玩具は、娯楽用に設計された機器であり、通常はレールアセンブリと車両アセンブリを備え、該玩具で遊ぶ時は、該車両アセンブリをレールアセンブリに沿って移動させて楽しむ。しかしながら、使用者が車両アセンブリを操作して前記レールアセンブリに沿って移動させるだけでは、遊びとしてはやや単調であることから、使用者を引きつけることができず、結果的に、レール玩具を長時間楽しむことができないので、早急に課題を解決するために、より優れた改善手段を提供する必要がある。
【考案の概要】
【考案が解決しようとする課題】
【０００３】
本考案は、使用者がより楽しめるレール玩具セットを提供することを主な目的とする。
【課題を解決するための手段】
【０００４】
上記の目的を達成するため、本考案が提供するレール玩具セットは、
レール面を備えたレールアセンブリと、
１つの側面が前記レール面に向く貼付壁を備えた筐体アセンブリと、
前記レールアセンブリに沿って前記レール面を移動する乗物アセンブリと、
前記乗物アセンブリに選択的に搭載されるか、または前記筐体アセンブリの貼付壁に貼付される貨物アセンブリと、を備える。
【０００５】
したがって、本考案の利点は、前記貨物アセンブリが搭載された前記乗物アセンブリが前記レールアセンブリ上を移動して前記筐体アセンブリを通過する際に、該貨物アセンブリが該乗物アセンブリから離れ、該筐体アセンブリに吸着されることにある。このように、レール玩具セットは、単に使用者が前記乗物アセンブリを制御して楽しむものから、該乗物アセンブリを移動させる過程で様々な動きを自動的に発生させるものへと変化しているので、使用者は、レール玩具セットを組み立てる際に、より多くのバリエーションを考え出し、さらに楽しめるようになった。
【０００６】
前記レール玩具セットは、前記レールアセンブリが、前記レール面に凹設されたレール溝をさらに備え、且つ、
前記乗物アセンブリには、前記レール溝内に収容するとともに、該レール溝に沿って移動させるための凸部が形成されている。
【０００７】
前記レール玩具セットは、前記レールアセンブリが、複数のレールユニットを有し、該各レールユニットは、少なくとも１つの接合面と、少なくとも１つの溝状部を有し、
前記少なくとも１つの溝状部は、前記接合面に凹設されるとともに、該少なくとも１つの溝状部の一端が、該接合面の縁部まで延びて開放端をなし、
前記複数のレールユニットの少なくとも１つの接合面のうちの１つが互いに接続されて、共に前記レール面を形成し、該複数のレールユニットの少なくとも１つの溝状部のうちの１つが互いに連通して、共に前記レール溝を形成する。
【０００８】
前記レール玩具セットは、前記乗物アセンブリが、
前記凸部が底面に形成された本体部材と、
前記本体部材に回転可能に設置された複数のホイール部材と、
前記本体部材の上面に固設されるとともに、前記貨物アセンブリを搭載するための搭載プレートを有する。
【０００９】
前記レール玩具セットは、前記筐体アセンブリが、前記貼付壁の中央に固設された磁性部材を有し、
前記貨物アセンブリは、磁性材料を備えていることで、前記筐体アセンブリの磁性部材に吸着する。
【図面の簡単な説明】
【００１０】
【図１】本考案のレール玩具セットの一例において乗物アセンブリが筐体アセンブリを通過する前の斜視図である。
【図２】本考案のレール玩具セットの一例において乗物アセンブリが筐体アセンブリを通過した後の斜視図である。
【図３】本考案のレール玩具セットの一例において乗物アセンブリが筐体アセンブリを通過する前の断面図である。
【図４】本考案のレール玩具セットの一例において乗物アセンブリが筐体アセンブリを通過するときの断面図である。
【図５】本考案のレール玩具セットの一例において乗物アセンブリが筐体アセンブリを通過した後の断面図である。
【考案を実施するための形態】
【００１１】
図１及び図２に示すように、本考案は、レールアセンブリ１０、筐体アセンブリ２０、乗物アセンブリ３０及び貨物アセンブリ４０を有するレール玩具セットを提供する。
【００１２】
前記レールアセンブリ１０は、レール面１０１と、該レール面１０１に凹設されたレール溝１０２を備える。具体的には、前記レールアセンブリ１０は、複数のレールユニット１１を有し、該各レールユニット１１は、少なくとも１つの接合面１１１と、少なくとも１つの溝状部１１２を有し、該溝状部１１２は、該接合面１１１に凹設される。尚、本実施形態においては、前記各レールユニット１１が立方体であってもよく、立方体の各側面はそれぞれ、前記接合面１１１の１つとすることができ、該接合面１１１に複数の前記溝状部１１２が形成されていてもよい。ただし、前記レールユニット１１の構造はこれに限定されるものではなく、くさび状や板状等であってもよく、前記溝状部１１２の一端は、前記接合面１１１の縁部まで延びて開放端をなしているが、該溝状部１１２の両端がいずれも開放端をなして該接合面１１１の縁部まで伸びていてもよい。
【００１３】
それによって、前記複数のレールユニット１１はそれぞれ、前記接合面１１１のうちの１つが互いに接続されて、共に前記レール面１０１を形成し、さらに、該複数のレールユニット１１はそれぞれ、前記溝状部１１２のうちの１つが互いに連通して、共に前記レール溝１０２を形成する。
【００１４】
次に、図３から図５に示すように、前記筐体アセンブリ２０は、１つの側面が前記レール面１０１に向く貼付壁２１と、磁性部材２２を備え、該磁性部材２２は、貼付壁２１の中央に固設され、具体的には、該貼付壁２１における、前記レール面１０１から遠い側の側面に固設される。
【００１５】
前記乗物アセンブリ３０は、前記レールアセンブリ１０に沿って前記レール面１０１を移動することができ、該乗物アセンブリ３０には、前記レール溝１０２内に収容するとともに、該レール溝１０２に沿って移動させるための凸部３０１が形成されており、それによって、該乗物アセンブリ３０がレール面１０１を移動するときは、該レール溝１０２に規制されるため、該レール溝１０２から離脱することはない。尚、本実施形態では、前記乗物アセンブリ３０が、本体部材３１、複数のホイール部材３２、及び搭載プレート３３を有し、該凸部３０１は、本体部材３１の底面に形成され、該ホイール部材３２は、本体部材３１の例えば側面又は底面に、回転可能に設置され、該搭載プレート３３は、本体部材３１の上面に固設される。尚、本実施形態においては、前記乗物アセンブリ３０が車のような外形の乗物であり、プルバックカーであってもよいが、他の実施形態においては、船の形状や他の形状であってもよい。
【００１６】
前記貨物アセンブリ４０は、前記乗物アセンブリ３０の搭載プレート３３内に選択的に搭載されてもよく、または前記筐体アセンブリ２０の貼付壁２１に貼付されてもよい。具体的に述べると、前記貨物アセンブリ４０は、磁性材料を備えることで、前記筐体アセンブリ２０の磁性部材２２に吸着することができる。換言すると、前記貨物アセンブリ４０を搭載した前記乗物アセンブリ３０が前記レールアセンブリ１０上を移動して、前記筐体アセンブリ２０を通過するとき、該貨物アセンブリ４０と筐体アセンブリ２０の貼付壁２１との距離が短くなるため、該貨物アセンブリ４０に対する筐体アセンブリ２０の磁性部材２２の吸引力が、該貨物アセンブリ４０の自重よりも大きくなり、それにより、前記貨物アセンブリ４０が前記乗物アセンブリ３０から離れ、前記筐体アセンブリ２０の貼付壁２１に吸着される。
【００１７】
上記の構造および吸着手段により、レール玩具セットは、単に使用者が前記乗物アセンブリ３０を制御して楽しむものから、該乗物アセンブリ３０を移動させる過程で様々な動き（すなわち、前記貨物アセンブリ４０が該乗物アセンブリ３０から離れる）を自動的に発生させるものとしている。したがって、本考案によって、使用者は、レール玩具セットを組み立てる際に、より多くのバリエーションを考え出して、さらに楽しめるようになっている。
【符号の説明】
【００１８】
１０        レールアセンブリ
１０１      レール面
１０２      レール溝
１１        レールユニット
１１１      接合面
１１２      溝状部
２０        筐体アセンブリ
２１        貼付壁
２２        磁性部材
３０        乗物アセンブリ
３０１      凸部
３１        本体部材
３２        ホイール部材
３３        搭載プレート
４０        貨物アセンブリ
【図１】
0003227643.tif 000003
【図２】
0003227643.tif 000004
【図３】
0003227643.tif 000005
【図４】
0003227643.tif 000006
【図５】
0003227643.tif 000007